(57)【要約】      （修正有）【課題】ユーザビリティーを向上したＰＣ内蔵ＴＶの提供。【解決手段】ＰＣ内蔵テレビ１は、ＴＶユニット１０とＰＣユニット２０とを備える。ＴＶユニット１０は、ＰＣユニット２０からＴＶ映像およびＰＣ映像の表示レイアウトを指定するレイアウト情報を含む表示関連情報を取得すると共に、ＴＶ映像およびＰＣ映像を含む表示用映像を前記表示関連情報に基づいて生成し、ディスプレイ装置２に同時に表示する。ＰＣユニット２０が、ＰＣ映像上に表示されたオブジェクトを、マウス５やキーボード６等の操作デバイスを用いてユーザが指示した位置に基づいて、前記表示関連情報を作成してＴＶユニット１０に提供する。【選択図】図１
2011165006.tif 000002
【特許請求の範囲】
【請求項１】
第１の映像を生成する第１の映像生成ユニットと、第２の映像を生成する第２の映像生成ユニットとを備えた映像表示装置であって、
上記第１の映像生成ユニットは、
上記第２の映像生成ユニットに対して上記第２の映像の取得要求を送信する通信手段と、
上記通信手段から送信された取得要求を受信した上記第２の映像生成ユニットから送信される上記第２の映像を取得する映像取得手段と、
上記第２の映像生成ユニットから、上記第１の映像および上記第２の映像の表示レイアウトを指定するレイアウト情報を含む表示関連情報を取得する表示関連情報取得手段と、
上記映像取得手段において取得した上記第２の映像および自ユニットにおいて生成した上記第１の映像を含む表示用映像を、上記表示関連情報に基づいて生成する表示用映像生成手段と、
上記生成手段において生成した上記表示用映像を表示部に表示する表示制御手段と、
上記第２の映像上の任意の位置を指定するオブジェクトを表示するオブジェクト表示手段と、
上記第２の映像生成ユニットにおいて操作デバイスを用いてユーザにより上記オブジェクトによって指定される位置を変更する信号を受信したとき、上記オブジェクトの表示位置を移動させるオブジェクト移動手段と、
上記第２の映像生成ユニットに対して、上記オブジェクトによって指定される位置を位置情報として送信する位置情報送信手段とを備え、
上記第２の映像生成ユニットは、
上記位置情報送信手段から送信された上記位置情報を受信し、当該位置情報に基づいて上記表示関連情報を生成する表示関連情報生成手段と、
生成した上記表示関連情報を上記第１の映像生成ユニットへ送信する表示関連情報送信手段とを備えていることを特徴とする映像表示装置。
【請求項２】
上記表示関連情報は、上記表示用映像における上記第１の映像および上記第２の映像の表示サイズを指定するサイズ指定情報を上記レイアウト情報として含み、
上記表示用映像生成手段は、自ユニットにおいて生成した上記第１の映像と、取得した上記第２の映像とを、上記通信手段において受信した上記表示関連情報に含まれるサイズ指定情報により指定される表示サイズにスケーリング処理し、スケーリング処理した上記第１の映像および上記第２の映像を合成することにより上記表示用映像を生成することを特徴とする請求項１に記載の映像表示装置。
【請求項３】
上記表示用映像生成手段は、上記第１の映像および上記第２の映像を、上記サイズ指定情報により指定される表示サイズに応じて、上記表示用映像上において互いに重ならない表示サイズにスケーリング処理することを特徴とする請求項２に記載の映像表示装置。
【請求項４】
上記位置情報送信手段は、上記操作デバイスを介してユーザにより上記オブジェクトによって位置が指定されたことを示す信号を受け付けたとき、上記第２の映像生成ユニットに対して上記位置情報を送信することを特徴とする請求項１から３のいずれか１項に記載の映像表示装置。
【請求項５】
上記位置情報送信手段は、上記オブジェクトが上記第２の映像上の任意の位置に一定時間位置づけられているとき、上記位置情報を送信することを特徴とする請求項１から３のいずれか１項に記載の映像表示装置。
【請求項６】
上記表示関連情報は、上記第１の映像の一部として生成されるウィンドウの表示位置および表示サイズを指定するウィンドウ配置情報をさらに含み、
上記位置情報送信手段は、上記第２の映像生成ユニットに対して、上記オブジェクトによって指定されるウィンドウ上の任意の位置を位置情報として送信し、
上記表示用映像生成手段は、表示関連情報取得手段において受信した上記表示関連情報に含まれる上記ウィンドウ配置情報より示される上記ウィンドウの表示位置および表示サイズに基づいて、上記第２の映像を上記ウィンドウ内に配置した表示用映像を生成することを特徴とする請求項１に記載の映像表示装置。
【請求項７】
上記第１の映像生成ユニットは、放送波、通信ネットワーク、外部記憶装置、内部記憶装置、および記録メディアの少なくともいずれかを通じて、上記第１の映像を取得する第１の映像取得手段をさらに備えていることを特徴とする請求項１から６のいずれか１項に記載の映像表示装置。
【請求項８】
上記第１の映像生成ユニットは、アンテナを通じて放送波を受信する放送波受信手段をさらに備えており、
上記第１の映像は、上記放送波受信手段において受信した放送波をデコードすることにより生成されることを特徴とする請求項１から７のいずれか１項に記載の映像表示装置。
【請求項９】
上記第２の映像生成ユニットは、アプリケーションを実行する実行手段を備えており、
上記第２の映像は、上記実行手段においてアプリケーションを実行する際に生成されることを特徴とする請求項１から８のいずれか１項に記載の映像表示装置。
【請求項１０】
上記第２の映像生成ユニットは、上記第１の映像生成ユニットから着脱可能であることを特徴とする請求項１から９のいずれか１項に記載の映像表示装置。
【請求項１１】
上記第２の映像生成ユニットは、上記第１の映像生成ユニットの筐体本体に内蔵されていることを特徴とする請求項１から１０のいずれか１項に記載の映像表示装置。
【請求項１２】
上記表示部は、液晶ディスプレイ、プラズマディスプレイまたはＥＬ（エレクトロルミネセンス）ディスプレイであることを特徴とする請求項１から１１のいずれか１項に記載の映像表示装置。
【請求項１３】
第１の映像を生成する第１の映像生成ユニットと、第２の映像を生成する第２の映像生成ユニットとを備えた映像表示装置における映像表示方法であって、
上記第１の映像生成ユニットから第２の映像生成ユニットに対して第２の映像の取得要求を送信する通信ステップと、
上記通信ステップにおいて上記第１の映像生成ユニットから送信した取得要求を受信した第２の映像生成ユニットから送信される第２の映像を、上記第１の映像生成ユニットが取得する映像取得ステップと、
上記第１の映像生成ユニットが、上記第２の映像生成ユニットから、上記第１の映像および上記第２の映像の表示レイアウトを指定するレイアウト情報を含む表示関連情報を取得する表示関連情報取得ステップと、
上記第１の映像生成ユニットが、当該第１の映像生成ユニットにおいて取得した第２の映像および自ユニットにおいて生成した第１の映像を含む表示用映像を、上記表示関連情報に基づいて生成する表示用映像生成ステップと、
上記第１の映像生成ユニットが、生成した表示用映像を表示部に表示する表示制御ステップと、
上記第１の映像生成ユニットにおいて、上記第２の映像上の任意の位置を指定するオブジェクトを表示するオブジェクト表示ステップと、
上記第１の映像生成ユニットが、上記第２の映像生成ユニットにおいて操作デバイスを用いてユーザにより入力された、上記オブジェクトによって指定される位置に関する位置情報を取得する位置情報取得ステップと、
上記第１の映像生成ユニットが、上記第２の映像生成ユニットに対して上記位置情報を送信する位置情報送信ステップと、
上記第２の映像生成ユニットにおいて、上記第１の映像生成ユニットから送信された上記位置情報を受信し、当該位置情報に基づいて上記表示関連情報を生成する表示関連情報生成ステップと、
上記第２の映像生成ユニットが、生成した上記表示関連情報を上記第１の映像生成ユニットへ送信する送信ステップとを含むことを特徴とする映像表示方法。
【請求項１４】
請求項１から１２のいずれか１項に記載の映像表示装置を動作させるためのプログラムであって、コンピュータを上記の各手段として機能させるためのプログラム。
【請求項１５】
請求項１４に記載のプログラムを記録しているコンピュータ読み取り可能な記録媒体。 
【発明の詳細な説明】
【技術分野】
【０００１】
本発明は、複数のユニットから構成される映像表示装置であって、各ユニットにおいて生成した映像を同時に表示させることができる映像表示装置、映像表示方法、プログラムおよび記録媒体に関する。
【背景技術】
【０００２】
近年、インターネットとの映像機器の融合が進んでいる。その一例として、チューナー付きＰＣ、ＰＣ映像のテレビへの表示、インターネットＴＶ、またはＰＣ内蔵のＴＶ等がある。しかし、これらの機器では、ユーザの使い勝手の点において不満も多い。
【０００３】
例えば、チューナー付きＰＣでは、ＰＣの基本操作によってテレビ番組を表示させることが前提である。そのため、ＰＣの操作に精通していないユーザにとっては操作が容易ではない。また、インターネットＴＶでは、リモコン等の操作によって容易にインターネットを利用できるが、一般的なＰＣよりも操作性が劣る。
【０００４】
一方、テレビジョン受像機と録画装置とが接続された録画システムにおいて、テレビジョン受像機の表示画面に録画装置によって検出された番組情報をＯＳＤ表示させる技術がある。例えば、特許文献１には、テレビジョン受像機を利用中のユーザが録画装置によって検出された録画候補の番組を確認する技術が開示されている。この録画システムでは、録画候補情報をテレビジョン受像機の映像表示部にＯＳＤ表示等により画面表示させている。
【先行技術文献】
【特許文献】
【０００５】
【特許文献１】特開２００８−０７２２２２号公報（２００８年３月２７日公開）
【発明の概要】
【発明が解決しようとする課題】
【０００６】
しかし、上記従来の技術では、単にＴＶとＰＣとで画面表示および制御を切換えるものであり、ＴＶとＰＣとの映像合成はなされていない。そのため、ＴＶおよびＰＣの画面を同時に表示することができず、２つのシステムが一体となったメリットが十分に発揮できない。
【０００７】
また、ＰＣ画面においてコンテンツを表示する場合には当該コンテンツが表示されるウィンドウの位置または大きさを柔軟に変更することが可能であるが、ＴＶ画面ではリモコンによって単純な表示切換しかできず、ＴＶまたはＰＣ等のコンテンツ表示領域の位置または大きさを変更することができない。なお、特許文献１の技術においても、ＴＶ画面と録画候補情報との表示領域を自由に変更できるものではない。
【０００８】
本発明は、上記課題に鑑みてなされたものであり、その目的は、両ユニットのそれぞれにおいて生成した映像を単一の表示装置に同時表示させると共に、ユーザビリティーを向上させることができる映像表示装置を提供することにある。
【課題を解決するための手段】
【０００９】
本発明に係る映像表示装置は、上記の課題を解決するために、
第１の映像を生成する第１の映像生成ユニットと、第２の映像を生成する第２の映像生成ユニットとを備えた映像表示装置であって、
上記第１の映像生成ユニットは、
上記第２の映像生成ユニットに対して上記第２の映像の取得要求を送信する通信手段と、
上記通信手段から送信された取得要求を受信した上記第２の映像生成ユニットから送信される上記第２の映像を取得する映像取得手段と、
上記第２の映像生成ユニットから、上記第１の映像および上記第２の映像の表示レイアウトを指定するレイアウト情報を含む表示関連情報を取得する表示関連情報取得手段と、
上記映像取得手段において取得した上記第２の映像および自ユニットにおいて生成した上記第１の映像を含む表示用映像を、上記表示関連情報に基づいて生成する表示用映像生成手段と、
上記生成手段において生成した上記表示用映像を表示部に表示する表示制御手段と、
上記第２の映像上の任意の位置を指定するオブジェクトを表示するオブジェクト表示手段と、
上記第２の映像生成ユニットにおいて操作デバイスを用いてユーザにより上記オブジェクトによって指定される位置を変更する信号を受信したとき、上記オブジェクトの表示位置を移動させるオブジェクト移動手段と、
上記第２の映像生成ユニットに対して、上記オブジェクトによって指定される位置を位置情報として送信する位置情報送信手段とを備え、
上記第２の映像生成ユニットは、
上記位置情報送信手段から送信された上記位置情報を受信し、当該位置情報に基づいて上記表示関連情報を生成する表示関連情報生成手段と、
生成した上記表示関連情報を上記第１の映像生成ユニットへ送信する表示関連情報送信手段とを備えていることを特徴としている。
【００１０】
上記の構成によれば、本発明の映像表示装置では、第１の映像生成ユニットが、第２の映像生成ユニットに対して第２の映像の取得要求を送信する。そして、第２の映像生成ユニットは受信した取得要求に基づいて、第１の映像生成ユニットに対して第２の映像を送信する。第１の生成ユニットは、第２の生成ユニットから取得した第２の映像および自ユニットにおいて生成した第１の映像を含む表示用映像を、レイアウト情報を含む表示関連情報に基づいて生成する。
【００１１】
このように、本発明に係る映像表示装置は、第１の映像生成ユニットから第２の映像生成ユニットに対して送信される第２の映像の取得要求により、互いに連携して動作する。また、第１の映像生成ユニットでは、取得した第２の映像と自ユニットにおいて生成した第１の映像とを含む表示用映像を生成し、生成した表示用映像を表示部に表示する。よって、それぞれの映像生成ユニットにおいて生成された映像を含む表示用映像を単一の表示部に同時表示させることができる。
【００１２】
また、本発明の映像表示装置では、第１の映像生成ユニットにおいて、第２の映像上の任意の位置を指定するオブジェクトを表示し、当該オブジェクトによって指定される位置を位置情報として第２の映像生成ユニットに対して送信する。第２の映像生成ユニットは、受信した位置情報に基づいて第１の映像および第２の映像の表示レイアウトを指定するレイアウト情報を含む表示関連情報を生成し、第１の映像生成ユニットに対して送信する。
【００１３】
ここで、第２の映像生成ユニットにおいて、操作デバイスを使用するユーザにより、表示部上に表示されるオブジェクトの位置の変更が入力されたとき、第１の映像生成ユニットではオブジェクトの表示位置を移動させる。この操作デバイスとしては、例えば、マウス、キーパッドなどのポインティングデバイスが挙げられる。そして、第１の映像生成ユニットは、移動させたオブジェクトの表示位置を位置情報として第２の映像生成ユニットに対して送信する。第２の映像生成ユニットは、この位置情報に基づいて表示レイアウトを指定する。すなわち、本発明の映像表示装置では、ユーザが第２の映像生成ユニットに対して情報が入力される操作デバイスを用いて表示用映像における表示レイアウトを変更することができる。
【００１４】
このように、本発明の映像表示装置を使用するユーザは、操作性の高い情報入力デバイスを用いてオブジェクトによって指定される位置を変更するのみで、表示用映像における第１の映像および第２の映像のレイアウトを容易に変更することができる。したがって、ユーザビリティーを向上させることができる。
【００１５】
本発明に係る映像表示装置では、さらに、
上記表示関連情報は、上記表示用映像における上記第１の映像および上記第２の映像の表示サイズを指定するサイズ指定情報を上記レイアウト情報として含み、
上記表示用映像生成手段は、自ユニットにおいて生成した上記第１の映像と、取得した上記第２の映像とを、上記通信手段において受信した上記表示関連情報に含まれるサイズ指定情報により指定される表示サイズにスケーリング処理し、スケーリング処理した上記第１の映像および上記第２の映像を合成することにより表示用映像を生成することが好ましい。
【００１６】
上記の構成によれば、第１の映像生成ユニットは、第１の映像および第２の映像をサイズ指定情報により指定される表示サイズにスケーリング（拡大縮小）処理し、スケーリング処理した第１の映像と第２の映像とを合成した表示用映像を生成する。すなわち、本発明に係る映像表示装置では、第２の映像生成ユニットは第１の映像生成ユニットに対して第２の映像を送信するのみであり、表示用映像における第１の映像および第２の映像のスケーリング処理は第１の映像生成ユニットにおいて実行される。言い換えれば、第２の映像生成ユニットは、通常であれば第２の映像のスケーリング処理を実行する分の機能を、第２の映像生成ユニットにおける他の処理にまわすことができる。
【００１７】
これにより、ユーザは、表示部に第１の映像と同時に表示されている第２の映像を視聴しつつ、第２の映像生成ユニットに対する処理を快適に実行することができる効果を奏する。
【００１８】
また、スケーリング処理を第１の映像生成ユニットのみで実行することにより、スケーリング処理が２段階で行なわれることによる画質の劣化を防止すると共に、画面情報の欠落を最小限に抑えることができる。
【００１９】
本発明に係る映像表示装置では、さらに、
上記表示用映像生成手段は、上記第１の映像および上記第２の映像を、上記サイズ指定情報により指定される表示サイズに応じて、上記表示用映像上において互いに重ならない表示サイズにスケーリング処理することが好ましい。
【００２０】
上記の構成によれば、第１の映像生成ユニットは、表示用映像において、第１の映像と第２の映像とが重ならないように、第１の映像の表示サイズを縮小する。
【００２１】
これにより、表示部において第１の映像と第２の映像とを同時に表示する際に、それぞれの映像が重なってしまうことを避けることができる。すなわち、ユーザが第１の映像と第２の映像とを、同時に、かつ、全て視聴することができる。
【００２２】
本発明に係る映像表示装置では、さらに、
上記位置情報送信手段は、上記操作デバイスを介してユーザにより上記オブジェクトによって位置が指定されたことを示す信号を受け付けたとき、上記第２の映像生成ユニットに対して上記位置情報を送信することが好ましい。
【００２３】
上記の構成によれば、第１の映像生成ユニットは、第２の映像生成ユニットにより操作デバイスを介してユーザによりオブジェクトによって位置が指定されたことを示す信号を受け付けたとき、位置情報を送信する。
【００２４】
これにより、例えば、操作入力デバイスから誤って位置の変更を示す信号が送信されるのを防ぐことができる。
【００２５】
本発明に係る映像表示装置では、さらに、
上記位置情報送信手段は、上記オブジェクトが上記第２の映像上の任意の位置に一定時間位置づけられているとき、上記位置情報を送信することが好ましい。
【００２６】
上記の構成によれば、第１の映像生成ユニットは、第２の映像上にオブジェクトが一定時間位置づけられているとき、当該オブジェクトが指定する位置を位置情報として第２の映像生成ユニットに対して送信する。
【００２７】
これにより、例えば、情報入力デバイスを用いて第２の映像生成ユニットのアプリケーションを実行するなど他の動作と、表示用映像におけるレイアウトを変更するときの動作とを区別し、誤ってレイアウトを変更してしまうことを防ぐことができる。
【００２８】
本発明に係る映像表示装置では、さらに、
上記表示関連情報は、上記第１の映像の一部として生成されるウィンドウの表示位置および表示サイズを指定するウィンドウ配置情報をさらに含み、
上記位置情報送信手段は、上記第２の映像生成ユニットに対して、上記オブジェクトによって指定されるウィンドウ上の任意の位置を位置情報として送信し、
上記表示用映像生成手段は、表示関連情報取得手段において受信した上記表示関連情報に含まれる上記ウィンドウ配置情報より示される上記ウィンドウの表示位置および表示サイズに基づいて、上記第２の映像を上記ウィンドウ内に配置した表示用映像を生成することが好ましい。
【００２９】
上記の構成によれば、第１の映像生成ユニットにおいてオブジェクトは第１の映像の一部として生成されるウィンドウ上の任意の位置を指定し、この位置を示す位置情報を第２の映像生成ユニットに対して送信する。第２の映像生成ユニットは、受信した位置情報に基づいて、ウィンドウの表示位置および表示サイズを示すウィンドウ配置情報を含む表示関連情報を生成する。
【００３０】
これにより、第１の映像の一部として生成されたウィンドウに第２の映像を配置させる場合、ウィンドウの表示位置および表示サイズを変更することにより、第２の映像の表示位置および表示サイズを自由に変更させることができる。
【００３１】
本発明に係る映像表示装置では、さらに、
上記第１の映像生成ユニットは、放送波、通信ネットワーク、外部記憶装置、内部記憶装置、および記録メディアの少なくともいずれかを通じて、上記第１の映像を取得する第１の映像取得手段をさらに備えていることが好ましい。
【００３２】
上記の構成によれば、映像表示装置は、仮に第２の映像生成ユニットが故障して動作しなくなった場合でも、様々なコンテンツを再生できる。
【００３３】
本発明に係る映像表示装置では、さらに、
上記第１の映像生成ユニットは、アンテナを通じて放送波を受信する放送波受信手段をさらに備えており、
上記第１の映像は、上記放送波受信手段において受信した放送波をデコードすることにより生成されることが好ましい。
【００３４】
上記の構成によれば、第１の映像生成ユニットが放送番組を第１の映像として表示部に表示することができる。結果として、本発明に係る映像表示装置を、テレビジョン受像機の一種として実現することができる。
【００３５】
本発明に係る映像表示装置では、さらに、
上記第２の映像生成ユニットは、アプリケーションを実行する実行手段を備えており、
上記第２の映像は、上記実行手段においてアプリケーションを実行する際に生成されることが好ましい。
【００３６】
上記の構成によれば、第２の映像生成ユニットが汎用コンピュータとしても機能を有する。結果として、本発明に係る映像表示装置を、コンピュータ機能を有する装置として実現することができる。特に、第１の映像生成ユニットが放送番組の表示機能を有する場合、本発明に係る映像表示装置は、コンピュータ内蔵テレビジョン受像機として実現することができる。
【００３７】
本発明に係る映像表示装置では、さらに、
上記第２の映像生成ユニットは、上記第１の映像生成ユニットから着脱可能であることが好ましい。
【００３８】
上記の構成によれば、映像表示装置の拡張性および保守性をより高めることができる。
【００３９】
本発明に係る映像表示装置では、さらに、
上記第２の映像生成ユニットは、上記第１の映像生成ユニットの筐体本体に内蔵されていることが好ましい。
【００４０】
上記の構成によれば、第２の映像生成ユニットを外部環境から守ることができる。
【００４１】
本発明に係る映像表示装置では、さらに、
上記表示部は、液晶ディスプレイ、プラズマディスプレイまたはＥＬ（エレクトロルミネセンス）ディスプレイであることが好ましい。
【００４２】
上記の構成によれば、第１の映像生成ユニットにおいて生成された合成コンテンツを多種多様なディスプレイに表示できる。
【００４３】
本発明に係る映像表示方法は、上記の課題を解決するために、
第１の映像を生成する第１の映像生成ユニットと、第２の映像を生成する第２の映像生成ユニットとを備えた映像表示装置における映像表示方法であって、
上記第１の映像生成ユニットから第２の映像生成ユニットに対して第２の映像の取得要求を送信する通信ステップと、
上記通信ステップにおいて上記第１の映像生成ユニットから送信した取得要求を受信した第２の映像生成ユニットから送信される第２の映像を、上記第１の映像生成ユニットが取得する映像取得ステップと、
上記第１の映像生成ユニットが、上記第２の映像生成ユニットから、上記第１の映像および上記第２の映像の表示レイアウトを指定するレイアウト情報を含む表示関連情報を取得する表示関連情報取得ステップと、
上記第１の映像生成ユニットが、当該第１の映像生成ユニットにおいて取得した第２の映像および自ユニットにおいて生成した第１の映像を含む表示用映像を、上記表示関連情報に基づいて生成する表示用映像生成ステップと、
上記第１の映像生成ユニットが、生成した表示用映像を表示部に表示する表示制御ステップと、
上記第１の映像生成ユニットにおいて、上記第２の映像上の任意の位置を指定するオブジェクトを表示するオブジェクト表示ステップと、
上記第１の映像生成ユニットが、上記第２の映像生成ユニットにおいて操作デバイスを用いてユーザにより入力された、上記オブジェクトによって指定される位置に関する位置情報を取得する位置情報取得ステップと、
上記第１の映像生成ユニットが、上記第２の映像生成ユニットに対して上記位置情報を送信する位置情報送信ステップと、
上記第２の映像生成ユニットにおいて、上記位置情報送信手段から送信された上記位置情報を受信し、当該位置情報に基づいて上記表示関連情報を生成する表示関連情報生成ステップと、
上記第２の映像生成ユニットが、生成した上記表示関連情報を上記第１の映像生成ユニットへ送信する送信ステップとを含むことを特徴としている。
【００４４】
上記の構成によれば、第１の映像生成ユニットにおいて表示される第１の映像および第２の映像のレイアウトを変更するとき、第２の映像生成ユニットにおいて操作デバイスを用いてユーザにより入力されるオブジェクトの位置の変更に基づいて行なう。これにより、ユーザは情報入力デバイスを用いてオブジェクトによって指定される位置を変更するのみで、表示用映像における第１の映像および第２の映像のレイアウトを容易に変更することができる。
【００４５】
なお、上記映像表示装置は、コンピュータによって実現してもよい。この場合、コンピュータを上記各手段として動作させることにより上記映像表示装置をコンピュータにおいて実現するプログラム、およびそのプログラムを記録したコンピュータ読み取り可能な記録媒体も、本発明の範疇に入る。
【発明の効果】
【００４６】
本発明に係る映像表示装置では、第１の映像生成ユニットが、第２の映像生成ユニットから第１の映像および第２の映像の表示レイアウトを指定するレイアウト情報を含む表示関連情報を取得すると共に、第１の映像および第２の映像を含む表示用映像を、上記表示関連情報に基づいて生成し、第２の映像生成ユニットが、第２の映像上に表示されるオブジェクトによって指定される位置に基づいて当該表示関連情報を作成し、かつ、第２の映像生成ユニットにおいて操作デバイスを用いてユーザによりオブジェクトによって指定される位置が入力されるので、両ユニットのそれぞれにおいて生成した映像を単一の表示装置に同時表示させると共に、ユーザビリティーを向上させることができる。
【図面の簡単な説明】
【００４７】
【図１】本発明の一実施形態に係るＰＣ内蔵テレビの要部構成を示すブロック図である。
【図２】図２の（ａ）は、本発明の一実施形態に係るＰＣ内蔵テレビを表示画面側から見た場合の外観を示す図であり、図２の（ｂ）は、ＰＣ内蔵テレビを上から見た場合の外観を示す図である。
【図３】本発明の一実施形態に係るＰＣ内蔵テレビの詳細な内部構成を示すブロック図である。
【図４】操作装置（キーボードまたはマウス）を使用して表示レイアウトを変更する際の信号伝達の流れを示す図である。
【図５】本発明の一実施形態に係るＰＣ内蔵テレビにおいて、ＴＶ映像およびＰＣ映像が重ならないように表示するときの、両映像の表示サイズを変更する場合の例を示す図である。
【図６】本発明の一実施形態に係るＰＣ内蔵テレビにおいて、ＴＶ映像およびＰＣ映像が重ならないように表示するときの、両映像の表示サイズを変更する場合の他の例を示す図である。
【図７】本発明の一実施形態に係るＰＣ内蔵テレビにおいて、ＴＶ映像の一部として表示されるウィンドウにＰＣ映像を配置させるときの、ウィンドウの表示サイズを変更する場合の例を示す図である。
【図８】本発明の一実施形態に係るＰＣ内蔵テレビにおいて、ＴＶ映像にＰＣ映像を重畳表示させるときの、ＰＣ映像の表示サイズを変更する場合の他の例を示す図である。
【図９】本発明の一実施形態に係るＰＣ内蔵テレビにおいて、ＴＶ映像にＰＣ映像を重畳表示させるときの、ＰＣ映像の表示位置を移動させる場合の例を示す図である。
【図１０】本発明の一実施形態に係るＰＣ内蔵テレビにおいて、ＴＶ映像をＰＣ映像におけるウィンドウに重ならないように表示する場合に、ＰＣ映像のウィンドウの表示サイズを変更する場合の例を示す図である。
【図１１】本発明の一実施形態に係るＰＣ内蔵テレビにおいて、ＴＶ映像をＰＣ映像におけるウィンドウに重ならないように表示する場合に、ＰＣ映像のウィンドウの表示サイズを変更する場合の他の例を示す図である。
【図１２】図１２の（ａ）は、着脱可能なＰＣユニットがＴＶユニットに装着された後のＰＣ内蔵テレビを表示画面側から見た場合の外観を示す図であり、図１２の（ｂ）は、着脱可能なＰＣユニットがＴＶユニットに装着される前のＰＣ内蔵テレビを背面側から見た場合の外観を示す図である。
【図１３】本発明の一実施形態に係るＰＣ内蔵テレビの要部構成を示すブロック図である。
【図１４】着脱可能なＢＤユニットがＴＶユニットに装着された後のＢＤ内蔵テレビの外観例を示す図である。
【発明を実施するための形態】
【００４８】
本発明に係る映像表示装置の一実施形態について、図１〜１４を参照して以下に説明する。
【００４９】
〔第１の実施形態〕
（ＰＣ内蔵テレビ１の外観）
まず、ＰＣ内蔵テレビ（映像表示装置）１の外観について図２を参照して以下に説明する。図２の（ａ）は、本発明の一実施形態に係るＰＣ内蔵テレビ１を表示画面側から見た場合の外観を示す図であり、図２の（ｂ）は、ＰＣ内蔵テレビ１を横（ＰＣユニット２０の設置側）から見た場合の外観を示す図である。
【００５０】
図２の（ａ）および（ｂ）に示すように、ＰＣ内蔵テレビ１は、ＴＶユニット１０（第１の映像生成ユニット）にＰＣユニット２０（第２の映像生成ユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００５１】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００５２】
なお、図２の（ａ）および（ｂ）では、ＰＣユニット２０がＴＶユニット１０外壁面に取り付けられている場合を示しているが、ＰＣユニット２０がＴＶユニット１０の筐体本体に内蔵されていてもよい。この場合、ＰＣユニット２０はＴＶユニット１０の内部に完全に隠されている。したがって、ＰＣユニット２０を外部環境から守ることができる。なお、ユーザは、ＰＣユニット２０をＴＶユニット１０の内部から取り出して、別のＰＣユニット２０に交換することができる。
【００５３】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５４】
図１に示すように、ＰＣ内蔵テレビ１のＴＶユニット１０は、映像出力部（表示制御手段）１１、音声出力部１２、オブジェクト表示部（オブジェクト表示手段、オブジェクト移動手段）１３、コンテンツ合成部（表示用映像生成手段）１４、コンテンツ取得部１５、コンテンツ受信部（映像取得手段）１６、ユーザ入力部１７、制御情報通信部（通信手段、表示関連情報取得手段）１８、制御部１９、位置情報送信部（位置情報送信手段）２９を備えている。一方、ＰＣユニット２０は、コンテンツ処理部２１、コンテンツ取得部２２、コンテンツ送信部２３、記憶部２４、制御情報通信部（表示関連情報送信手段）２５、ユーザ入力部２６、制御部２７、アプリケーション実行部２８、位置情報受信部３０および表示関連情報生成部（表示関連情報生成手段）３１を備えている。
【００５５】
ＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツなどのＰＣコンテンツを取得してＴＶユニット１０に提供する。ＴＶユニット１０は、少なくとも放送番組内の映像（以下、ＴＶ映像とも称する）およびＰＣコンテンツ内の映像（以下、ＰＣ映像とも称する）を合成して一つの表示用映像を生成し、ディスプレイ２に出力する。ディスプレイ２には表示用映像が表示される。
【００５６】
また、ＰＣ内蔵テレビ１では、表示された表示用映像におけるＴＶ映像およびＰＣ映像の表示サイズまたは表示位置などの表示レイアウトを、ＰＣユニット２０に操作信号を入力する操作デバイスを用いて容易に変更することができる。具体的には、ユーザが例えばマウス５などのポインティングデバイスを用いてＰＣ映像上の任意の位置を指定することにより、ＴＶ映像またはＰＣ映像の表示サイズまたは表示レイアウトが変更される。これにより、ユーザが自らの動作を視覚的に認識しながらＴＶ映像およびＰＣ映像の表示サイズまたは表示位置などを変更することができるので、観念的に分かり易く、ユーザビリティーの向上に繋がる。
【００５７】
操作デバイスとしては、第２の映像上の任意の位置を指定することができるものであればよく、例えば、マウス、レーザーポインタ、ゲームパッド、ジョイスティック、ペンタブレットおよびタッチパネルなどのポインティングデバイスを挙げることができる。なお、本実施形態のＰＣ内蔵テレビ１における表示レイアウトの変更の詳細については後述する。
【００５８】
ディスプレイ２は、ＰＣ映像、ＴＶ映像およびそれらの映像を含む表示用映像を表示することができるものであれば、いかなるディスプレイであってもよい。ディスプレイ２の一例としては、液晶ディスプレイ、プラズマディスプレイ、および有機ＥＬディスプレイを挙げることができる。このように、ＰＣ内蔵テレビ１では、ＰＣユニット１０において生成された合成コンテンツ（表示用映像）を多種多様なディスプレイに表示できる。
【００５９】
（ＴＶユニット１０の詳細）
ＴＶユニット１０に備えられる各ブロックの機能について、それぞれ以下に説明する。
【００６０】
映像出力部１１は、コンテンツ合成部１４から送られた映像信号をディスプレイ２に出力する。
【００６１】
音声出力部１２は、コンテンツ合成部１４から送られた音声信号をスピーカ３に出力する。
【００６２】
オブジェクト表示部１３は、ＰＣ映像上の任意の位置を指定するオブジェクトを表示する。また、制御情報通信部１８において、例えばマウス５などを用いてユーザによりオブジェクトの位置を変更する信号を受信すると、当該信号に基づいてオブジェクトの表示位置を移動させる。
【００６３】
コンテンツ合成部１４は、コンテンツ取得部１５から入力された放送番組（ＴＶ映像）、および、コンテンツ受信部１６がＰＣユニット２０から受信したＰＣコンテンツ（ＰＣ映像）を合成して、一つの合成コンテンツ（表示用映像）を生成する。コンテンツ合成部１４では、表示用映像において、ＴＶ映像が所定の表示位置に、所定の表示サイズで表示されるようにＴＶ映像を処理する。また、表示用映像において、ＰＣ映像が所定の表示位置に、所定の表示サイズで表示されるようにＰＣ映像を処理する。これらの処理は、制御情報通信部１８がＰＣユニット２０から受信した表示関連情報に基づいて行なえばよい。
【００６４】
コンテンツ取得部１５は、アンテナ４を通じて放送波を受信し、コンテンツを処理する。本実施形態では、受信された放送波をデコードして放送番組を生成し、コンテンツ合成部１４に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００６５】
また、コンテンツ取得部１５に入力される映像としては、放送などリアルタイムの映像に限定されるものではない。他にも、録画再生機器（レコーダ装置）などにより再生されるコンテンツなどのＨＤＭＩケーブルまたはビデオケーブルなどを介して入力される外部入力映像を使用することもできる。
【００６６】
コンテンツ受信部１６は、ＰＣユニット２０から送信されたＰＣコンテンツを受信し、コンテンツ合成部１４に出力する。
【００６７】
ユーザ入力部１７は、ユーザによるＰＣ内蔵テレビ１に対する入力操作を受け付ける。具体的には、ユーザによるＴＶユニット１０に対する入力操作を受け付ける。例えば、ユーザによる入力操作に応じてリモコン９が発した信号を受信し、制御部１９に出力する。他にも、ＴＶユニット１０本体へのユーザの直接操作によって発せられた信号を受信することもできる。
【００６８】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。
【００６９】
ここで、制御情報には、例えば、ＰＣユニット２０またはＴＶユニット１０を操作するための操作情報が含まれる。他にも、ＴＶユニット１０からＰＣユニット２０に対して送信される制御情報としては、表示用映像に含まれるＰＣ映像の取得を要求する取得要求を挙げることができる。また、ＰＣユニット２０からＴＶユニット１０に対して送信される制御情報としては、表示用映像に含まれるＴＶ映像およびＰＣ映像の表示サイズを指定するサイズ指定情報、および表示用映像におけるＰＣ映像の表示位置を指定する位置指定情報などのレイアウト情報を含む表示関連情報、ならびにユーザにより入力されるオブジェクトの位置の変更情報を挙げることができる。
【００７０】
制御部１９は、ＴＶユニット１０を構成する各ブロックを統括制御する。
【００７１】
位置情報送信部２９は、ＰＣユニット２０に対してオブジェクトによって指定される位置を位置情報として送信する。
【００７２】
（ＰＣユニット２０の詳細）
ＰＣユニット２０を構成する各ブロックの機能について、以下に説明する。
【００７３】
コンテンツ処理部２１は、コンテンツ取得部２２が取得したＰＣコンテンツを処理する。コンテンツ取得部２２は、外部からＰＣコンテンツを取得する。例えば、コンテンツ取得部２２は、記録ディスク７からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００７４】
ここで、ＰＣコンテンツとは、コンピュータによって処理され再生可能なコンテンツのことである。ＰＣコンテンツには、例えばテキスト、静止画像、音声または動画像などのコンテンツが該当し、さらにこれらの組み合わせからなるマルチメディアコンテンツも該当する。他にも、ウェブページもＰＣコンテンツに含まれる。これらのＰＣコンテンツは各所から取得できる。取得先としては、インターネット８上のウェブサイト、ＰＣ内蔵テレビ１に接続された外部装置、および記録ディスク７を挙げることができる。
【００７５】
コンテンツ送信部２３は、コンテンツ処理部２１が処理したコンテンツをコンテンツ受信部１６へ送信する。コンテンツ送信部２３は、ＰＣユニット２０において生成したＰＣ映像を送信する映像送信手段と換言することもできる。
【００７６】
記憶部２４は、各種のＰＣコンテンツを記憶する。例えば、ハードディスク、フラッシュメモリなどの不揮発性の記憶装置として実現される。記憶部２４には、ＰＣコンテンツに加えて、アプリケーション実行部２８によって実行される各種のソフトウェアアプリケーションが記憶されている。
【００７７】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。ＰＣユニット２０からＴＶユニット１０に対して送信される制御情報としては、表示用映像に含まれるＴＶ映像およびＰＣ映像の表示サイズを指定するサイズ指定情報、ならびに、表示用映像におけるＰＣ映像の表示位置を指定する位置指定情報などのレイアウト情報、コンテンツ取得部２２においてコンテンツを取得中であることを示すデータ取得情報、ＰＣユニット２０が起動中であることを示す状況情報などを含む表示関連情報を挙げることができる。
【００７８】
制御情報通信部１８は、表示関連情報をＴＶユニット１０に対して送信する送信手段であると換言することもできる。
【００７９】
ユーザ入力部２６は、ユーザによるＰＣ内蔵テレビ１に対する入力操作を受け付ける。具体的には、ユーザによるＰＣユニット２０に対する入力操作を受け付けており、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００８０】
制御部２７は、ＰＣユニット２０における動作全般を制御する。
【００８１】
アプリケーション実行部２８は、記憶部２４に記憶されているソフトウェアアプリケーションを読み出して実行する。
【００８２】
位置情報受信部３０は、ＴＶユニット１０から送信された位置情報を受信し、表示関連情報生成部３１に出力する。
【００８３】
表示関連情報生成部３１は、位置情報受信部３０が受信した位置情報に基づいて表示関連情報を生成し、制御情報通信部２５に出力する。
【００８４】
（ＰＣ内蔵テレビ１の詳細な内部構成）
次に、ＰＣ内蔵テレビ１の詳細な内部構成について、図３を参照して説明する。図３は、本実施形態に係るＰＣ内蔵テレビ１の詳細な内部構成を示すブロック図である。図１に示す各機能ブロックは、図３に示す各ブロックのいずれかまたはその組み合わせによって実現される。
【００８５】
ＲＦ（Ｒａｄｉｏ  Ｆｒｅｑｕｅｎｃｙ）受信部１０１は、外部から送られてくる信号を受信する。すなわち、ＲＦ受信部１０１は、例えば、地上波デジタル放送により伝送される映像信号などのデジタル放送信号を受け付ける映像信号入力部である。なお、ＲＦ部１０１が受信する信号は、地上波デジタル放送波として送られてくる信号に限定されるものではなく、例えば、一般のアナログ放送、衛星放送、またはケーブルテレビ放送により伝送される映像信号であってもよい。
【００８６】
ＲＦ受信部１０１が受信する映像信号の形式としては、例えば、デジタル放送の場合はＭＰＥＧ２またはＭＰＥＧ４形式でデジタル化された映像信号を挙げることができる。また、ＲＦ受信部１０１に入力される信号は、上記の映像信号に限定されるものではなく、例えば、デジタル化されたオーディオ信号、データ放送、電子番組表情報またはネットワーク情報などのデジタル放送信号（放送波）であってもよい。
【００８７】
デモジュレータ１０２は、ＲＦ受信部１０１に入力されたデジタル放送信号を復調し、デコーダ１０３に送る。
【００８８】
デコーダ１０３は、例えばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００８９】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行なう。しかしながら、これに限定されるものではなく、デコーダ１０３またはＣＰＵ１０９において、オーディオ信号をデコードしてもよい。処理されたオーディオ信号は、スピーカ１０５に送られる。
【００９０】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、例えば、ＢＤ（Ｂｌｕ−Ｒａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００９１】
リモコン通信部１０６は、図示しないリモコンからの制御信号を受信する。制御信号を送信するリモコンとしては、例えば、１方向に信号を送信する赤外線リモコン、または双方向に信号を送信する無線リモコンが挙げられる。リモコン通信部１０６が受信した制御信号は、ＣＰＵ１０９に送られる。
【００９２】
外部入力部１０７は、ＰＣユニット２０の映像出力部２０８から出力された信号を受信する。外部入力部１０７としては、例えば、ＨＤＭＩインターフェースまたはＤＶＩ−Ｄ端子などが挙げられる。また、外部入力部１０７が受信する信号は、デコードされたデータまたは圧縮形式のデータ（例えば、ＭＥＰＧ２またはＭＰＥＧ４形式のデータなど）を含む。
【００９３】
外部入力部１０７が受信したオーディオ信号は、オーディオプロセッサ１０４に出力される。一方、外部入力部１０７が受信した映像信号は、グラフィックメモリ１１０に出力され、展開される。また、例えば、外部入力部１０７が受信した映像信号が圧縮画像であった場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異は生じない。
【００９４】
メモリ１０８は、プログラムまたはデータを格納するメモリである。
【００９５】
ＣＰＵ１０９は、ＴＶユニット１０全体の制御を行なうＣＰＵである。
【００９６】
グラフィックメモリ１１０は、２つ以上の映像および表示データを保持する。表示データとしては、例えば、データ放送、ＯＳＤ（オンスクリーンディスプレイ）データ、および設定メニューなどのデータが挙げられる。グラフィックメモリ１１０は、複数のプレーンからなり、それぞれのプレーンを重ね合わせたり、アルファブレンディングを行なったりすることが可能である。
【００９７】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、例えば、複数のプレーンの拡大縮小または位置設定などを行ない、合成して最終画面を作り出す。この最終画面は、表示部１１２へ送られる。なお、グラフィックメモリ１１０およびグラフィックコントローラ１１１は、図１に示したコンテンツ合成部１４に相当する。
【００９８】
表示部１１２は、グラフィックコントローラ１１１から受け取った映像を表示する。例えば液晶パネルなどの表示デバイスに映像を表示してもよいし、外部機器に映像データを出力してもよい。
【００９９】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【０１００】
Ｉ／Ｆ部１１４は、ＬＡＮ、ＵＳＢまたはシリアルなどを制御するインターフェース部である。Ｉ／Ｆ部１１４では、静止画などを含む制御情報をＰＣユニット２０とやり取りする。なお、Ｉ／Ｆ部１１４における制御情報の送受信方式は、特に限定されない。
【０１０１】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【０１０２】
入力部２０１は、外部からの入力を受け付ける。このように、ＰＣユニット２０は、独自の入力部が存在し得る。入力部２０１としては、例えば、Ｂｌｕｅｔｏｏｔｈのワイヤレスキーボードまたはワイヤレスマウスなどを利用できることが好ましい。
【０１０３】
ＩＯプロセッサ２０２は、各種外部インターフェースを制御する。
【０１０４】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、例えば、有線ＬＡＮを接続する場合に、１つのＬＡＮケーブルを挿すだけで、ＴＶユニット１０およびＰＣユニット２０を同時にネットワークに接続させることができる。
【０１０５】
メモリ２０５は、各種制御を行なうＣＰＵ２０６のメモリである。
【０１０６】
ＣＰＵ２０６は、ＰＣユニット２０に含まれる各ブロックを統括的に制御する。例えば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、例えば、ＰＣユニット２０がデコーダ１０３のようなハードウェアを備えていてもよい。
【０１０７】
グラフィックコントローラ２０７は、映像描画時のグラフィック処理を高速化する。
【０１０８】
映像出力部２０８は、グラフィックコントローラ２０７によって処理された映像信号を出力する。出力される映像信号の形式としては、例えばＨＤＭＩ規格のインターフェースを介して出力可能な形式などを挙げることができる。なお、オーディオ信号も映像信号と同様に、ＴＶユニット１０に出力される。
【０１０９】
記憶部２０９は、インターネット８または記録ディスク７を通じて取得されたＰＣコンテンツを恒久的に記憶する。記憶部２０９としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリなどが挙げられる。ＣＰＵ２０６は、ネットワークを経由して取得した映像、または記憶部２０９に記憶されている映像を再生し、ＴＶユニット１０に送信する。
【０１１０】
ここで、映像とは、動画に限定されるものではなく、音楽、書籍（テキスト）、写真（静止画像）、スライドショー、ワープロドキュメント、またはゲームなどのアプリケーションが作成する画面が挙げられる。
【０１１１】
（合成映像の生成の詳細）
続いて、本実施形態に係るＰＣ内蔵テレビ１においてＴＶ映像とＰＣ映像とを含む表示用映像（合成映像）を生成する処理の詳細について以下に説明する。
【０１１２】
まず、ユーザがリモコン９またはＰＣ内蔵テレビ１に設けられた所定のボタンを押下すると、ＰＣ内蔵テレビ１は、表示モードをＴＶユニット１０において処理されるＴＶ映像と、ＰＣユニット２０において処理されるＰＣ映像とをディスプレイ２に同時表示するモード（同時表示モードと称する）に変更する。
【０１１３】
ＰＣ内蔵テレビ１における表示モードが同時表示モードに変更されると、ＰＣユニット１０における制御部１９は、制御情報通信部１８に対して、ＰＣユニット２０において処理されているＰＣ映像、ならびに当該ＰＣ映像およびＴＶ映像の表示サイズを指定するサイズ指定情報を含む表示関連情報の取得要求をＰＣユニット２０に出力するように指示する。指示を受けた制御情報通信部１８は、ＰＣ映像および表示関連情報の取得要求をＰＣユニット２０に対して出力する。
【０１１４】
ＰＣユニット２０の制御情報通信部２５がＴＶユニット１０から出力された取得要求を受け付けると、制御部２７は、コンテンツ送信部２３に対して、コンテンツ処理部２１において処理したＰＣ映像をＴＶユニット１０に出力するように指示する。指示を受けたコンテンツ送信部２３は、ＰＣ映像をＴＶユニット１０に対して出力する。
【０１１５】
同時に、制御部２７は、制御情報通信部２５に対して、ＰＣ映像およびＴＶ映像の表示サイズを指定するサイズ指定情報をＴＶユニット１０に出力するように指示する。指示を受けた制御情報通信部２５は、サイズ指定情報をＴＶユニット１０に対して出力する。
【０１１６】
ＴＶユニット１０のコンテンツ受信部１６がＰＣ映像を取得し、制御情報通信部１８がサイズ指定情報を受け付けると、制御部１９は、取得したＰＣ映像とコンテンツ取得部１５において処理したＴＶ映像とをサイズ指定情報に基づいてスケーリングして合成し、表示用映像を生成するようにコンテンツ合成部１４に指示する。指示を受けたコンテンツ合成部１４は、取得したＰＣ映像およびＴＶ映像の表示サイズをサイズ指定情報に基づいて縮小処理した合成用映像を生成し、生成した合成用映像をＴＶ映像に合成する。これによって、コンテンツ合成部１４においてディスプレイ２に表示する表示用映像が生成される。
【０１１７】
このとき、表示用映像におけるＴＶ映像およびＰＣ映像の表示位置は、ＴＶユニット１０において予め設定された位置にすればよい。例えば、生成した合成用映像の任意の頂点（例えば、矩形であれば左上の頂点）を配置するディスプレイ上の位置座標を設定しておけばよい。もちろん、サイズ指定情報と共に、ディスプレイ２におけるＴＶ映像およびＰＣ映像の表示位置を指定する位置指定情報をＴＶユニット１０に対して出力するようにしてもよい。
【０１１８】
コンテンツ合成部１４における表示用映像の生成をより具体的に説明すると、グラフィックコントローラ１１１が、グラフィックメモリ１１０を利用してＴＶ映像を表すデータを書き込んだ第１のプレーンと、ＰＣ映像を表すデータを書き込んだ第２のプレーンとを合成することにより表示用映像を生成する。このとき、ＴＶ映像を表すデータは、サイズ指定情報により指定される表示サイズとなるように第１のプレーンに書き込まれ、ＰＣ映像を表すデータは、サイズ指定情報により指定される表示サイズとなるように第２のプレーンに書き込まれる。
【０１１９】
最後に、コンテンツ合成部１４において生成された表示用映像は、映像出力部１１を介してディスプレイ２に出力される。これにより、ディスプレイ２には、ＴＶ映像およびＰＣ映像の二画面の映像が表示されることになる。
【０１２０】
ここで、サイズ指定情報において指定されるＴＶ映像およびＰＣ映像の表示サイズは、予め定められたサイズであってもよいし、マウス５など（すなわち、ＰＣ内蔵テレビ１に接続された、あるいは設けられた操作デバイス）を介してユーザにより設定されるサイズであってもよい。
【０１２１】
このように、ＰＣ内蔵テレビ１は、２つの異なるユニット間の親和性を高め、ＴＶユニット１０を操作することにより両者を連携して動作させ、両ユニットのそれぞれにおいて生成した映像をディスプレイ２に同時表示させることができる。
【０１２２】
（表示用映像におけるＴＶ映像およびＰＣ映像のレイアウト変更）
ディスプレイ２に表示されるＴＶ映像およびＰＣ映像の表示位置および表示サイズは、ＰＣユニット２０の備える操作デバイス（例えば、マウス５）を介したユーザの設定により適宜変更することができる。図４は、操作デバイス（マウス５など）を使用して表示レイアウトを変更する際の信号伝達の流れを示す図である。
【０１２３】
マウス５を用いてＴＶ映像およびＰＣ映像の表示位置および表示サイズを変更する場合、ユーザの入力に応じてマウス５が発信する信号（操作信号）は、ユーザ入力部２６を経由して制御部２７に入力される（ステップＳ１）。制御部２７は、操作信号を解析することによって、ＰＣユニット２０を操作するための信号か、または表示用映像における表示レイアウトを変更するための信号なのかを判定する。前者だと判定した場合には、操作信号の内容に応じて、ＰＣユニット２０内の各ブロックを制御する。これらの処理の結果、ユーザはマウス５などを使用してＰＣユニット２０を操作できる。
【０１２４】
一方、制御部２７は、操作信号が表示用映像における表示レイアウトを変更するための信号だと判定した場合には、操作信号の内容に応じてレイアウト情報に変換（生成）し（ステップＳ２）、制御情報通信部２５を通じてＴＶユニット１０に送信する（ステップＳ３）。当該レイアウト情報は制御情報通信部１８を経由してＴＶユニット１０の制御部１９に入力される。制御部１９は、入力されたレイアウト情報に基づき、コンテンツ合成部１４が変更されたレイアウトにて表示用映像を合成するように制御する（ステップＳ４）。映像出力部１１は、コンテンツ合成部１４にて合成された表示用映像をディスプレイ２に表示する（ステップＳ５）。これにより、ＴＶ映像およびＰＣ映像は、表示用映像においてレイアウト情報により指定される表示位置に、指定された表示サイズで表示されることになる。
【０１２５】
すなわち、ＰＣユニット２０側からの操作入力によりＴＶ映像およびＰＣ映像の表示位置または表示サイズが変更されるたびに、コンテンツ合成部１４では新たな表示用映像を生成する。これによって、ＰＣユニット２０側からの操作入力に応じて、ＴＶ映像およびＰＣ映像の表示位置および表示サイズを適宜変更することができる。
【０１２６】
例えば、図５の（ａ）に示すように、ディスプレイ２上にＴＶ映像４０およびＰＣ映像４１が同時に表示されているとき、まず、マウス５を操作してマウスポイント（オブジェクト）４２をＰＣ映像４１の左端を指定し、マウス５をドラッグさせてマウスポイント４２を左方向に移動させていく（図５の（ｂ），（ｃ））。図５は、本発明の一実施形態に係るＰＣ内蔵テレビ１において、ＴＶ映像４０およびＰＣ映像４１が重ならないように表示するときの、両映像の表示サイズを変更する場合の例を示す図である。これにより、ＰＣ映像４２の表示サイズを拡大させると共に、ＴＶ映像４１の表示サイズを縮小させることができる（図５の（ｄ））。
【０１２７】
このように、ディスプレイ２では、ＰＣ映像４１上を指定するマウスポイント４２の位置をマウス５によって移動させることにより、ＰＣ映像４１の表示サイズを変更すると共に、ＰＣ映像４１の表示サイズに合わせてＴＶ映像４０が重ならないように表示することができる。すなわち、ユーザはマウス５を使用してＰＣユニット２０側から操作することにより、表示用映像におけるＴＶ映像４０およびＰＣ映像４１の表示位置および表示サイズを変更することができる。これは、コンテンツ合成部１４において、ＰＣ映像４１が移動開始前のマウスポイント４２の位置から所定のピクセル移動させた移動後のマウスポイント４２の位置に到達するまでの間、表示用映像を生成するようにすればよい。
【０１２８】
レイアウト情報は、表示サイズを指定するサイズ指定情報を含むことが好ましいが、表示位置を指定する情報を含んでいてもよい。
【０１２９】
また、ＴＶユニット１０は、位置情報を連続的にＰＣユニット２０に出力してもよいが、操作デバイスにおいてユーザにより位置が指定されたことを示す信号を受け付けたとき、ＰＣユニット２０に対して位置情報を送信することが好ましい。すなわち、ＰＣユニット２０は、レイアウト情報を含む表示関連情報を連続的にＴＶユニット１０に出力してもよいが、操作デバイスを介してユーザにより位置の変更を示す信号を受け付けたときに、レイアウト情報を出力することが好ましい。これにより、例えば、マウス５を使用してＰＣユニット２０のアプリケーションを実行するときなどに、誤ってレイアウトが変更されるのを防ぐことができる。
【０１３０】
なお、位置情報を送信するタイミングはこれに限定されるものではなく、他にも、ＴＶユニット１０は、マウスポイント（オブジェクト）４２がＰＣ映像４１上の任意の位置に一定時間位置づけられているときに、位置情報を送信するようにしてもよい。
【０１３１】
このように、本実施形態のＰＣ内蔵テレビ１では、ユーザがＰＣユニット２０に対して情報が入力される操作デバイスを用いて表示用映像における表示レイアウトを変更することができる。つまり、ＴＶユニット１０が出力する表示用映像のレイアウト変更が、リモコン９ではなく、マウス５などの操作性の高いポインティングデバイスによって可能になる点は、ユーザにとってのメリットが大きい。リモコン９の操作に比べて、マウス５などのポインティングデバイスはディスプレイ２上の任意の点を自在に指定することが可能であり、視覚的に認識し易いからである。したがって、本実施形態のＰＣ内蔵テレビ１を使用するユーザは、ディスプレイ２に同時に表示されるＴＶ映像およびＰＣ映像の表示レイアウトを容易に変更することができる。
【０１３２】
（レイアウト変更の他の例）
上述した表示用映像におけるレイアウト変更では、ＴＶ映像４０を縮小させてＰＣ映像４１を拡大させる場合を例に挙げて説明しているのに対して、ＴＶ映像４１を拡大させてＰＣ映像４１を縮小させてもよい。
【０１３３】
例えば、図６の（ａ）に示すように、ディスプレイ２上にＴＶ映像４０およびＰＣ映像４１が同時に表示されているとき、マウス５を操作してマウスポイント４２によってＰＣ映像４１の右端を指定する。図６は、本発明の一実施形態に係るＰＣ内蔵テレビ１において、ＴＶ映像４０およびＰＣ映像４１が重ならないように表示するときの、両映像の表示サイズを変更する場合の他の例を示す図である。この状態からマウス５を右方向にドラッグさせてマウスポイント４２を移動させていく（図６の（ｂ），（ｃ））。その結果、図６の（ｄ）に示すように、ＰＣ映像４２の表示サイズを縮小させると共に、ＴＶ映像４１の表示サイズを拡大させることができる。
【０１３４】
なお、上述したレイアウトの変更例では、単にＴＶ映像およびＰＣ映像のサイズを変更するものであるが、これに限定されるものではなく、例えば表示用映像においてＴＶ映像およびＰＣ映像が配置されていない領域がある場合、ＰＣ映像の表示サイズを変更させずに表示位置を変更することもできる。この場合、オブジェクトによってＰＣ映像上のいずれの位置を指定したときに表示サイズまたは表示位置が変更されるのかは、予め設定しておいてもよいし、その都度、操作デバイスを介して設定してもよい。
【０１３５】
（ＰＣ映像４１のウィンドウ表示）
ＰＣ内蔵テレビ１では、図７に示すように、ＴＶ映像４０の一部として表示されるウィンドウ４３を表示用映像として生成し、当該ウィンドウ４３内にＰＣ映像４１を配置させることができる。図７は、本発明の一実施形態に係るＰＣ内蔵テレビにおいて、ＴＶ映像の一部として表示されるウィンドウ４３にＰＣ映像４１を配置させるときの、ウィンドウ４３の表示サイズを変更する場合の例を示す図である。
【０１３６】
ＴＶ映像４０上の一部領域に示されるウィンドウ４３を含む表示用映像を生成する場合には、ＰＣユニット２０からＴＶユニット１０へ出力される表示関連情報に、ウィンドウ４３の表示位置および表示サイズを指定するウィンドウ配置情報を含む。
【０１３７】
ＴＶユニット１０のコンテンツ合成部１４は、ＰＣユニット２０から受け付けたウィンドウ配置情報により指定されるＴＶ映像４０上の一部領域にウィンドウ４３を配置する。そして、配置されたウィンドウ４３内にＰＣ映像４１を当てはめた表示用映像を生成する。生成した表示用映像をディスプレイ２に対して出力することにより、ディスプレイ２には図７の（ａ）に示すような映像が表示される。
【０１３８】
また、ＴＶ映像４０上の一部領域にウィンドウ４３を配置した表示用映像において、当該ウィンドウ４３の表示位置または表示サイズを変更することができる。つまり、上述した表示用映像におけるＴＶ映像４０およびＰＣ映像４１のレイアウト変更と同様に、マウス５などの操作デバイスを操作してウィンドウ４３の表示位置または表示サイズを変更することができる。
【０１３９】
例えば、図７の（ａ）に示すようにＴＶ映像４０上の一部領域に、ＰＣ映像４１が嵌め込まれたウィンドウ４３が表示されているとき、ウィンドウ４３上の左上端をマウスポイント４２により指定し、左上方へマウスポイント４２が移動するようにマウス５をドラッグさせる。これにより、図７の（ｂ）に示すようにウィンドウ４３の表示サイズが拡大される。一方、ウィンドウ４３の表示サイズを縮小させる場合には、例えば、図８の（ａ）に示すように、ウィンドウ４３上の右下端をマウスポイント４２により指定し、右下方へマウスポイント４２が移動するようにマウス５をドラッグさせる（図８の（ｂ））。これにより、図８の（ｃ）に示すようにウィンドウ４３の表示サイズが縮小される。
【０１４０】
また、ＴＶ映像４０上においてウィンドウ４３の表示位置を変更させる場合、例えば、図９の（ａ）に示すように、ＴＶ映像４０上に配置されたウィンドウ４３の上端をマウスポイント４２により指定し、上方へマウスポイント４２が移動するようにマウス５をドラッグさせることによりウィンドウ４３が上方へ移動し（図９の（ｂ））、図９の（ｃ）に示すように、ウィンドウ４３の下端をマウスポイント４２により指定し、下方へマウスポイント４２が移動するようにマウス５をドラッグさせることにより（図９の（ｄ））、ウィンドウ４３が下方へ移動する（図９の（ｅ））。
【０１４１】
一方、図１０に示すように、ディスプレイ２上にＴＶ映像４０およびウィンドウ４３を重ならないように二画面表示させた場合に、両者の表示サイズを変更することもできる。図１０は、本発明の一実施形態に係るＰＣ内蔵テレビ１において、ＴＶ映像４０をＰＣ映像４１におけるウィンドウ４３に重ならないように表示する場合に、ＰＣ映像４１のウィンドウ４３の表示サイズを変更する場合の例を示す図である。
【０１４２】
つまり、まず、図１０の（ａ）に示すように、ディスプレイ２上にＴＶ映像４０およびＰＣ映像４１が嵌めこまれたウィンドウ４３が重ならないように表示されているとき、マウス５を操作してマウスポイント４２によってウィンドウ４３の左端を指定する。この状態からマウス５を左方向にドラッグさせてマウスポイント４２を移動させていく（図１０の（ｂ），（ｃ））。その結果、図１０の（ｄ）に示すように、ウィンドウ４３の表示サイズを拡大させて、ＴＶ映像４１の表示サイズを縮小させることができる。
【０１４３】
同様に、ウィンドウ４３の表示サイズを縮小させて、ＴＶ映像４１の表示サイズを拡大させる場合は図１１に示すように行なえばよい。図１１は、本発明の一実施形態に係るＰＣ内蔵テレビ１において、ＴＶ映像４０をＰＣ映像４１におけるウィンドウ４３に重ならないように表示する場合に、ＰＣ映像４１のウィンドウ４３の表示サイズを変更する場合の他の例を示す図である。まず、図１１の（ａ）に示すように、マウス５を操作してマウスポイント４２によってウィンドウ４３の右端を指定する。この状態からマウス５を右方向にドラッグさせてマウスポイント４２を移動させていく（図１１の（ｂ），（ｃ））。その結果、図１１の（ｄ）に示すように、ウィンドウ４３の表示サイズを縮小させて、ＴＶ映像４１の表示サイズを拡大させることができる。
【０１４４】
なお、ウィンドウ４３の表示サイズおよび表示位置のいずれが変更されるかは、予めウィンドウ４３において表示サイズが変更される領域または表示位置が変更される領域を指定しておいてもよいし、その都度、いずれが変更されるかを操作デバイスを介してユーザにより入力されてもよい。
【０１４５】
〔第２の実施形態〕
本発明に係る第の実施形態について、図１２および図１３を参照して以下に説明する。なお、上述した第１の実施形態と共通する各部材には同じ符号を付し、詳細な説明を省略する。
【０１４６】
図１２の（ａ）は、着脱可能なＰＣユニット２０ａがＴＶユニット１０ａに装着された後のＰＣ内蔵テレビ１ａを表示画面側から見た場合の外観を示す図であり、図１２の（ｂ）は、着脱可能なＰＣユニット２０ａがＴＶユニット１０ａに装着される前のＰＣ内蔵テレビ１ａを背面側から見た場合の外観を示す図である。
【０１４７】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１４８】
ＰＣユニット２０ａには、図１２（ａ）に示すように、複数の外部端子１５０〜１５２が設けられている。具体的にはイーサネット（登録商標）端子１５０、ＵＳＢ端子１５１、および映像／音声入出力端子１５２である。また、図１２（ｂ）に示すように、ＰＣユニット２０ａには、ＴＶユニット１０ａと信号をやり取りするための外部端子１５３〜１５５も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１４９】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めばよい。
【０１５０】
ＰＣ内蔵テレビ１ａから外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用できる。
【０１５１】
（ＰＣ内蔵テレビ１ａの要部構成）
図１３は、本発明の一実施形態に係るＰＣ内蔵テレビ１ａの要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置・外部再生装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１５２】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１５３】
〔第３の実施形態〕
本発明に係る第３の実施形態について、図１４を参照して以下に説明する。なお、上述した第１および第２の実施形態と共通する各部材には同じ符号を付し、詳細な説明を省略する。
【０１５４】
本実施形態では、本発明はＢＤ内蔵テレビ１ｂとして実現される。ここで「ＢＤ」とはブルーレイ（登録商標）録画再生機器のことである。ＢＤ内蔵テレビ１ｂは、放送番組の再生および記録ディスク７への録画、ならびにブルーレイコンテンツの再生が可能な装置である。
【０１５５】
（ＢＤ内蔵テレビの外観例）
図１４は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１５６】
ＴＶユニット１０ａは、装着されたＢＤ内蔵テレビ１ｂと連携して動作する。したがって、ユーザはリモコン９を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１５７】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１５８】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５９】
すなわちＴＶユニット１０およびＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１６０】
この記録媒体は、上述した機能を実現するソフトウェアであるＴＶユニット１０およびＰＣユニット２０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのＴＶユニット１０およびＰＣユニット２０（またはＣＰＵやＭＰＵ）が、供給された記録媒体に記録されているプログラムコードを読み出し、実行すればよい。
【０１６１】
プログラムコードをＴＶユニット１０およびＰＣユニット２０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１６２】
また、ＴＶユニット１０およびＰＣユニット２０を通信ネットワークと接続可能に構成しても、本発明の目的を達成できる。この場合、上記のプログラムコードを、通信ネットワークを介してＴＶユニット１０およびＰＣユニット２０に供給する。この通信ネットワークはＴＶユニット１０およびＰＣユニット２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１６３】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１６４】
なお、ＰＣ内蔵テレビ１ａを構成する各ブロックにおいても同様である。
【産業上の利用可能性】
【０１６５】
本発明に係る映像表示装置は、ＰＣユニットを内蔵したテレビジョン受像機として好適に利用することができる。より具体的には、ＰＣユニットとＴＶユニットとが協働することにより、双方のユニットのそれぞれにおいて生成した映像を単一の表示装置に同時表示することができるテレビジョン受像機として好適に利用することができる。
【符号の説明】
【０１６６】
１      ＰＣ内蔵テレビ（映像表示装置）
１ａ    ＰＣ内蔵テレビ（映像表示装置）
２      ディスプレイ（表示部）
３      スピーカ
４      アンテナ
５      マウス（操作デバイス）
６      キーボード
７      記録ディスク
８      インターネット
９      リモコン
１０    ＴＶユニット（第１の映像生成ユニット）
１０ａ  ＴＶユニット（第１の映像生成ユニット）
１１    映像出力部（表示制御手段）
１２    音声出力部
１３    オブジェクト表示部（オブジェクト表示手段、オブジェクト移動手段）
１４    コンテンツ合成部（表示用映像生成手段）
１５    コンテンツ取得部
１６    コンテンツ受信部（映像取得手段）
１７    ユーザ入力部
１８    制御情報通信部（通信手段、表示関連情報取得手段）
１９    制御部
２０    ＰＣユニット（第２の映像生成ユニット）
２０ａ  ＰＣユニット（第２の映像生成ユニット）
２１    コンテンツ処理部
２２    コンテンツ取得部（コンテンツ取得手段）
２３    コンテンツ送信部（映像送信手段）
２４    記憶部
２５    制御情報通信部（表示関連情報送信手段）
２６    ユーザ入力部
２７    制御部
２８    アプリケーション実行部（実行手段）
２９    位置情報送信部（位置情報送信手段）
３０    位置情報受信部
３１    表示関連情報生成部（表示関連情報生成手段）
【図１】
2011165006.tif 000003
【図２】
2011165006.tif 000004
【図３】
2011165006.tif 000005
【図４】
2011165006.tif 000006
【図５】
2011165006.tif 000007
【図６】
2011165006.tif 000008
【図７】
2011165006.tif 000009
【図８】
2011165006.tif 000010
【図９】
2011165006.tif 000011
【図１０】
2011165006.tif 000012
【図１１】
2011165006.tif 000013
【図１２】
2011165006.tif 000014
【図１３】
2011165006.tif 000015
【図１４】
2011165006.tif 000016